(57)【特許請求の範囲】
【請求項１】
転写シートと受容シートとを重ね合わせた感圧複写シートであって、
前記転写シートの対向面側にバックカーボンインキ層を設けるとともに、該バックカーボンインキ層と転写シートとの間の要所に、転写型顕色剤インキからなる顕色剤層を設け、
受容シートの対向面における少なくとも前記転写シートの顕色剤層に対向する領域に、前記バックカーボンインキ層のバックカーボンインキとは異色に発色する発色剤をマイクロカプセルにして含有した発色剤マイクロカプセル層を設けたことを特徴とする改竄防止用感圧複写シート。
【発明の詳細な説明】
【０００１】
【発明の属する技術分野】
本発明は、バックカーボンを用いた感圧複写シートにおいて、改竄による不正行為を簡単に見抜けるようにした、バックカーボンを用いた改竄防止用感圧複写シートに関するものである。
【０００２】
【発明が解決しようとする課題】
従来から帳票類に記載する情報が同時に複写されるようにする感圧複写シートとしては、ノーカーボン用紙を使用するものと、バックカーボン用紙を使用するものに大きく分けられるが、近年においてはノーカーボン用紙を用いるものが主流となっている。そして、このような感圧複写シートに対する改竄防止技術において、前記ノーカーボン用紙を用いるものでは、転写クレーと呼ばれる顕色剤インキを使用して複写文字を裏移りさせたり、部分的に異なる発色の発色剤をマイクロカプセル化した発色剤マイクロカプセルを印刷し、複写文字の色を変えるなどの方法が採用されている。このようにノーカーボン用紙を使用するものでは、複写文字の裏移りの他に、特定の場所の文字の色を変えることが可能であり、より良い改竄防止の対策が図れる。
【０００３】
上述したようにノーカーボン用紙を用いるものが主流であるが、ＰＣＢ薬剤の毒性問題の後遺症から依然として、感圧複写シートとして他方のバックカーボン用紙を用いたものも要求されており、又その需要も多い。そして、このバックカーボン用紙を用いるものでは、複写シートと受容シートとの組み合わせにおいて、本出願人が先に、複写シートの文字抜け部を複写色とは異なる色に発色させるものを改竄防止技術として提案している。
しかしながら、複写シートの文字抜け部を複写色とは異なる色に発色させるものにあっては、受容シート側の複写文字の色を変えることができず、このことから受容シートにおいてもバックカーボン用紙から複写された文字などがそのバックカーボンの複写色と異なるようにすることが望まれるようになっている。
そこで本発明は、バックカーボン用紙を用いるタイプであって複写シートと受容シートとからなる感圧複写シートにおいて、受容シート側においても複写される文字がバックカーボンとは異なる色にて表示されるようにすることを課題とし、よりよい改竄防止効果が得られるようにすることを目的とするものである。
【０００４】
【課題を解決するための手段】
本発明は上記課題を考慮してなされたもので、転写シートと受容シートとを重ね合わせた感圧複写シートであって、前記転写シートの対向面側にバックカーボンインキ層を設けるとともに、該バックカーボンインキ層と転写シートとの間の要所に、転写型顕色剤インキからなる顕色剤層を設け、受容シートの対向面における少なくとも前記転写シートの顕色剤層に対向する領域に、前記バックカーボンインキ層のバックカーボンインキとは異色に発色する発色剤をマイクロカプセルにして含有した発色剤マイクロカプセル層を設けたことを特徴とする改竄防止用感圧複写シートを提供して、上記課題を解消するものである。
【０００５】
【発明の実施の形態】
つぎに本発明を図１から図４に示す実施の形態に基づいて詳細に説明する。
先ず、図１において、図中１は改竄防止用感圧複写シートで、該感圧複写シート１は、転写シート２と受容シート３とが重ね合わされて一方の端部で綴合４されたものである。前記転写シート２の表面には図示されていない記入欄が設けられている。そして、この転写シート２の受容シート３に対する対向面においては、バックカーボンインキからなるバックカーボンインキ層５が設けられている。さらにこのバックカーボンインキ層５と転写シート２の対向面との間であって、前記記入欄に対応する領域に顕色剤層６が設けられている。即ち、記入欄に対応する領域にあっては、転写シート２側から顕色剤層６、バックカーボンインキ層５との順に積層されているものである。前記顕色剤層６は、転写型顕色剤インキからなるものであり、後述するように記入欄に対して記入が行われると、その記入に対応した個所の顕色剤層６の一部分がバックカーボンインキ層５を伴った状態で受容シート３側に移るように設けられているものである。
【０００６】
一方、上記受容シート３の上記転写シート２に対応する対向面においては、少なくとも上記転写シート２の上記顕色剤層６に対向する領域に、発色剤マイクロカプセル層７が設けられている。この発色剤マイクロカプセル層７は発色剤をマイクロカプセルにして含有したもので、その発色剤は上記バックカーボンインキ層５を構成するバックカーボンインキの色とは異色に発色するものである。
【０００７】
上記顕色剤層６を形成する転写型顕色剤インキとしては、例えば、商品名「ＴＭ−１」（三菱製紙社製）、商品名「６２２」（帝国インキ製造社製）、商品名「改竄防止顕色剤」（王子製紙社製）などを採用することができる。
【０００８】
前記発色剤マイクロカプセル層７の発色剤は、電子供与性発色剤を使用することができ、例えばベンゾイルロイコメチレンブルー、ｐ−ニオロベンゾイルメチレンブルー等のチアジン系染料、３，３−ビス（ｐ−ジメチルアミノフェニル）−６−ジメチルアミノフタリド等のトリアニールメタン系染料、４，４−ビス−ジメチルアミノベンズヒドリルベンジルエーテル等のジフェニタルメタン系染料、３−フェニル−スピロージナフトピラン等のスピロ系染料、３−ピペリジノ−メチル−７−フェニルアミノフルオラン等のフルオラン系染料等から任意に選択できるが、バックカーボンインキと発色色調は異なることが前提となる。
【０００９】
このような発色剤を有するマイクロカプセルは、公知のコアセルベーション法、界面重合法、インサイチュ重合法等により製造することができ、そのカプセル分散液を界面活性剤と共に、非水系溶媒に混合分散させ、油溶性バインダーを添加して調製する。
このマイクロカプセルは、スポット的に塗布でき、加熱せずとも速やかに乾燥できる紫外線硬化型のインキ化としたものが好適である。即ち、非水系のカプセル分散液に、非水系溶媒、バインダー、界面活性剤、カプセル保護剤、紫外線吸収剤、光重合開始剤、ワックス、増粘剤、増感剤、ゲル化剤等の主剤、補助剤を混合して成る紫外線硬化型のマイクロカプセル塗料としたものである。
【００１０】
このように構成された感圧複写シート１は、使用時に転写シート２の記入欄にボールペン等で記入すると、図２（イ）に示すようにバックカーボンインキ層５の対応部分５ａと顕色剤層６の対応部分６ａとが受容シート３の発色剤マイクロカプセル層７の上に転移することになるが、図２（ア）に示すように筆圧が加えられた時点で、加圧された発色剤マイクロカプセル層７のマイクロカプセルが破壊され、その破壊により出た発色剤がバックカーボンインキ層５を通して前記顕色剤層６に染み込むように転移して発色する。
【００１１】
そして、顕色剤層６の発色剤が発色した発色部８においては上記対応部分６ａが含まれていて、上述したように発色している対応部分６ａがバックカーボンインキ層５の対応部分５ａとともに発色剤マイクロカプセル層７の上に転移する。この対応部６ａの転移は顕色剤層６の層厚方向において全てが転移するものではなく、図示したように一部分が転移するものであり、顕色剤層６側では発色してる残存部分６ｂがある。よって、転写シート２のバックカーボンインキ層５を見た場合にはバックカーボンインキの色とは異なる色で発色している発色部８を確認できるようになる。
勿論、発色している発色部８を確認できるのは、適正に受容シート３と重ね合わせて情報が記載された場合であり、改竄を目的として故意に転写シート２を受容シート３から別け、この転写シート２を他のシートの上で情報記載した場合では、発色剤の転移が生じないため、バックカーボンインキ層５の抜け落ち部分５ｂからは、発色部を確認することはできない。
【００１２】
一方、受容シート３側に転移した転写型顕色剤インキからなる対応部分６ａは、伴って転移しているバックカーボンインキの色と発色剤自体で発色した色との混合色として発色するようになり、受容シート３側でその混合色で複写された情報が表示されることから、正規の転写シート２を重ね合わせた状態で情報が記載されて同時複写されたものであることが、簡単に判断できるようになる。
【００１３】
上記転写シート２において情報未記入時には上記顕色剤層６はバックカーボンインキ層５に覆われた状態となっており、情報記載した時に受容シート３から発色剤が転写シート２の顕色剤層６側に適正に転移するかどうかが懸念されるが、実験にて顕色剤層６での鮮やかな発色が認められ、また、受容シート３の発色剤マイクロカプセル層７上に転移した対応部分６ａでも発色が認められ、発色剤が顕色剤層６側に転移することが確認されている。
【００１４】
本発明の改竄防止用感圧複写シート１にあっては上述したように転写シート２と受容シート３とを正規に組み合わせた場合にのみ、その転写シート２に記載した文字などの情報が、受容シート３において特徴のある色で、即ち、転写シート２のバックカーボンインキ層５を形成しているバックカーボンインキの色と発色剤が発色したときの色との混合色で複写表示されるため、受容シート３を改竄の有無を確認するチェック用のシートとして取り扱うようにすればよい。
【００１５】
図３は本感圧複写シート１に対して所要情報を記載してから転写シート２を取り去り、その後に他種のカーボン複写シートなどを用いて受容シート３に不正情報を書き込んだ状態のものを示している。この図３に示すように、転写シート２から移った対応部分５ａ，６ａの個所は、上述したようにバックカートンインキの色と発色剤の発色との混合色となった状態で確認できるようになるが、不正に複写されたカーボン部分９が位置している個所では混色した状態での情報表示がなされない。よって、受容シート３に複写表示された情報には二種の色合いで示されることなり、改竄された情報であることが簡単に目視にて確認できる。
もちろん、正規の転写シート２を全く用いずに受容シート３に不正情報を複写した場合でも、カーボンインキの色のみで複写情報が受容シート３に表示されるるため、同様に確認できる。
なお、上述したように、受容シート２のバックカーボンインキ層５において抜け落ち個所で所要の発色が認められるかどうかを改竄チェック事項として加えるようにしてもよい。
【００１６】
上記実施の形態は二枚複写構成のものであるが、本発明はこれに限定されずに三枚以上の感圧複写シートで実施することも可能である。例えば、三枚複写構成の場合、上記二枚組とした転写シートと受容シートの間において、その二枚組の一方である転写シートに相対する面を受容シートとして構成し前記二枚組の他方の前記受容シートに対応する面を転写シートとして構成しているシートを介在させるようにすれば良い。
【００１７】
【発明の効果】
以上説明した本発明により、情報記載した時に、受容シートの破壊されたマイクロカプセルから複写シートの顕色剤層に発色剤が転移してきて発色し、その発色部分がバックカーボンインキ層とともに受容シートの発色剤マイクロカプセル層上に移って、バックカーボンインキの色と発色剤の発色とで混色し、この混合色により受容シート側で複写情報が表示されるようになるため、受容シートに示された複写情報の色彩を目視確認するという簡単なチェックで、適正に転写シートと重ね合わせて記載した情報であるかどうかが確認でき、改竄の防止に有効であるなるなど、実用性に優れた効果を奏するものである。
【図面の簡単な説明】
【図１】本発明に係る改竄防止用感圧複写シートの一例を示す説明図である。
【図２】一例の複写を示すもので、（ア）は顕色剤層において発色した状態を示す説明図、（イ）は転写シートと受容シートとを分離する状態を示す説明図である。
【図３】不正情報を有する状態の受容シートを示す説明図である。
【符号の説明】
１…改竄防止用感圧複写シート
２…転写シート
３…受容シート
５…バックカーボンインキ層
６…顕色剤層
７…発色剤マイクロカプセル層
８…発色部
【図１】
0004503815.tif 000002
【図２】
0004503815.tif 000003
【図３】
0004503815.tif 000004